【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
静磁場を発生する超電導磁石と、
所定周期の機械的変動を伴う冷凍サイクルで前記超電導磁石を冷却する冷凍機と、
被検体から診断画像生成用の磁気共鳴信号を収集するデータ収集部と、
収集した前記診断画像生成用の磁気共鳴信号の位相変動であって、前記冷凍機の機械的変動に伴う前記静磁場の周期的な変動に起因して発生する位相変動を、収集した前記診断画像生成用の磁気共鳴信号に対して補正する補正部と、
を備える磁気共鳴イメージング装置。
【請求項２】
前記データ収集部は、補正データ生成用の磁気共鳴信号を収集し、
前記補正部は、前記補正データ生成用の磁気共鳴信号から、前記位相変動、又は、前記静磁場の周期的な変動に起因して発生する磁気共鳴周波数変動を補正データとして算出し、算出した前記補正データを用いて、前記診断画像生成用の磁気共鳴信号を補正する、
請求項１に記載の磁気共鳴イメージング装置。
【請求項３】
前記冷凍機は、前記機械的変動の周期に同期したトリガ信号を出力し、
前記データ収集部は、前記冷凍機から出力される前記トリガ信号に同期して、前記補正データ生成用の磁気共鳴信号、及び前記診断画像生成用の磁気共鳴信号を収集する、
請求項２に記載の磁気共鳴イメージング装置。
【請求項４】
前記データ収集部は、
前記冷凍機の機械的変動の周期を少なくとも１周期含む期間の間、前記トリガ信号に同期した前記補正データが複数取得されるように、前記補正データ生成用の磁気共鳴信号を収集する一方、前記冷凍機の機械的変動の周期よりも長い期間に亘って、前記トリガ信号に同期して前記診断画像生成用の磁気共鳴信号を収集する、
請求項３に記載の磁気共鳴イメージング装置。
【請求項５】
前記補正部は、前記トリガ信号を基準とする遅延時間が略同一となるようになるように前記補正データと前記診断画像生成用の磁気共鳴信号とを互いに対応付け、前記トリガ信号からの各遅延時間における前記補正データを用いて、前記補正データに対応付けられた前記診断画像生成用の磁気共鳴信号を補正する、
請求項４に記載の磁気共鳴イメージング装置。
【請求項６】
本装置の電源が投入されている期間、一定のクロック周期で動作するシステムクロックを発生するクロック発生部をさらに備え、
前記データ収集部は、前記冷凍機から出力されるトリガ信号に因らず、前記システムクロックに同期して前記補正データ生成用の磁気共鳴信号、及び前記診断画像生成用の磁気共鳴信号を収集する、
請求項２に記載の磁気共鳴イメージング装置。
【請求項７】
前記データ収集部は、
前記冷凍機の機械的変動の周期を少なくとも１周期含む期間の間、前記システムクロックに同期した前記補正データが複数取得されるように、前記補正データ生成用の磁気共鳴信号を収集する一方、前記冷凍機の機械的変動の周期よりも長い期間に亘って、前記システムクロックに同期して前記診断画像生成用の磁気共鳴信号を収集する、
請求項６に記載の磁気共鳴イメージング装置。
【請求項８】
前記冷凍機は、本装置の起動後、前記システムクロックの所定のタイミングで少なくとも１回リセットすることにより、前記冷凍サイクルの開始タイミングを設定できるように構成されており、
前記補正部は、前記リセットによって前記冷凍サイクルの位相と前記システムクロックとを対応付けた後に、前記冷凍サイクルの位相が略同一となるようになるように前記補正データと前記診断画像生成用の磁気共鳴信号とを前記システムクロックに基づいて互いに対応付け、前記冷凍サイクルの各位相における前記補正データを用いて、前記補正データに対応付けられた前記診断画像生成用の磁気共鳴信号を補正する、
請求項７に記載の磁気共鳴イメージング装置。
【請求項９】
前記データ収集部は、前記補正データ生成用の磁気共鳴信号を第１のパルスシーケンスを用いて収集し、前記診断画像生成用の磁気共鳴信号を第２のパルスシーケンスを用いて収集し、前記第１のパルスシーケンスの種類と、前記第２のパルスシーケンスの種類は、互いに異なる種類に設定することができる、
請求項２乃至８のいずれか１項に記載の磁気共鳴イメージング装置。
【請求項１０】
前記第１のパルスシーケンスは位相エンコード量をゼロとするパルスシーケンスである、
請求項９に記載の磁気共鳴イメージング装置。
【請求項１１】
前記データ収集部は、前記診断画像生成用の磁気共鳴信号の収集期間中に挿入される所定の補正データ取得期間に、補正データ生成用の磁気共鳴信号を収集し、
前記補正部は、前記補正データ生成用の磁気共鳴信号から、前記位相変動、又は、前記静磁場の周期的な変動に起因して発生する磁気共鳴周波数変動を補正データとして算出し、算出した前記補正データを用いて、前記診断画像生成用の磁気共鳴信号を補正する、
請求項１に記載の磁気共鳴イメージング装置。
【請求項１２】
前記データ収集部は、前記診断画像生成用の磁気共鳴信号の収集期間の中に複数の前記補正データ取得期間を挿入し、隣接する前記補正データ取得期間の間隔を、前記冷凍サイクルの周期よりも短く設定する、
請求項９に記載の磁気共鳴イメージング装置。
【請求項１３】
静磁場を発生する超電導磁石と、所定周期の機械的変動を伴う冷凍サイクルで前記超電導磁石を冷却する冷凍機とを具備する磁気共鳴イメージング装置のアーティファクト抑制方法であって、
被検体から診断画像生成用の磁気共鳴信号を収集し、
収集した前記診断画像生成用の磁気共鳴信号の位相変動であって、前記冷凍機の機械的変動に伴う前記静磁場の周期的な変動に起因して発生する位相変動を、収集した前記診断画像生成用の磁気共鳴信号に対して補正する、
磁気共鳴イメージング装置のアーティファクト抑制方法。
【請求項１４】
補正データ生成用の磁気共鳴信号を収集し、
前記補正データ生成用の磁気共鳴信号から、前記位相変動、又は、前記静磁場の周期的な変動に起因して発生する磁気共鳴周波数変動を補正データとして算出し、算出した前記補正データを用いて、前記診断画像生成用の磁気共鳴信号を補正する、
請求項１３に記載の磁気共鳴イメージング装置のアーティファクト抑制方法。
【請求項１５】
前記診断画像生成用の磁気共鳴信号の収集期間中に挿入される所定の補正データ取得期間に、補正データ生成用の磁気共鳴信号を収集し、
前記補正データ生成用の磁気共鳴信号から、前記位相変動、又は、前記静磁場の周期的な変動に起因して発生する磁気共鳴周波数変動を補正データとして算出し、算出した前記補正データを用いて、前記診断画像生成用の磁気共鳴信号を補正する、
請求項１３に記載の磁気共鳴イメージング装置のアーティファクト抑制方法。
【請求項１６】
静磁場を発生する超電導磁石と、
所定周期の機械的変動を伴う冷凍サイクルで前記超電導磁石を冷却する冷凍機と、
被検体から磁気共鳴信号を収集するデータ収集部と、
収集した前記磁気共鳴信号の位相変動であって、前記冷凍機の機械的変動に伴う前記静磁場の周期的な変動に起因して発生する位相変動を、収集した前記磁気共鳴信号に対して補正する補正部と、
を備える磁気共鳴イメージング装置。
【手続補正２】
【補正対象書類名】明細書
【補正対象項目名】００５５
【補正方法】変更
【補正の内容】
【００５５】
次に、各遅延時間における補正データΔf0(i) （１≦ｉ≦Ｋ）を用いて、補正データに対応付けられたＭＲ信号の位相を補正する（ステップＳＴ２０５）。具体的には、次のように補正する。第２のパルシーケンスのエコー時間ＴＥ１とすると、診断画像生成用の時刻ｔ(p, m)におけるＭＲ信号に位相は、（式８）に示す位相変動φ(p, m)を受けていることになる。
φ(p, m)＝（2π）・Δf(p, m)・ＴＥ１                    （式８）
ここで、ｐ番目の位相エンコード、ｍ番目のスライスに対応する補正前のＭＲ信号をＳ(p, m)で表し、補正後のＭＲ信号を、Ｓ’(p, m)で表すと、ステップＳＴ２０５では、以下の式によってＭＲ信号を補正する。
Ｓ’(p, m)＝Ｓ(p, m)・exp[-jφ(p, m)]                        （式９）
つまり、（式９）による補正によって、冷凍機１１０の機械的変動によって生じたＭＲ信号の位相変動φ(p, m)が取り除かれる。
【手続補正３】
【補正対象書類名】明細書
【補正対象項目名】００８０
【補正方法】変更
【補正の内容】
【００８０】
診断画像生成用の位相エンコード番号pにおける補正前のＭＲ信号をS(p)とし、補正後のＭＲ信号をS’(p)とすると、補正後のＭＲ信号をS’(p)は、次の位相補正により算出される。
S’(p)＝S(p)・exp[-jφimage(p)]                        (式１３)
補正後のＭＲ信号をS’(p)に対して、２次元逆フーリエ変換等の再構成処理を行うことにより、アーティファクトの抑制された診断画像を生成することができる。